(57)【要約】【課題】ユーザが所望する目的地の正確な気象情報を生成することが可能な気象情報生成装置等を提供する。【解決手段】本実施形態の通信システム１は、上記機能を実現するため、図１に示すように、各ユーザによってそれぞれ所持される複数の通信携帯端末装置１０と、ネットワーク２０と、携帯用通信端末装置１０からの要求に基づいて気象情報を生成し、該当する携帯用通信端末装置１０に生成した気象情報を提供する情報提供サーバ装置３０と、を有している。情報提供サーバ装置３０は、目的地指定情報に付加されている目的地位置情報とデータベース内に登録済みの位置情報を比較して、目的地周辺に存在する通信携帯端末装置１０（を特定するとともに、特定した通信携帯端末装置１０から上記の画像データ、音データ及び日照データの状態情報を取得する構成を有している。【選択図】図１
2014038051.tif 000002
【特許請求の範囲】
【請求項１】
ネットワークを介して接続された通信端末装置に所定の地点における気象情報を提供する気象情報生成装置であって、
複数の前記通信端末装置の現在位置を、現在位置情報として収集する収集手段と、
一の前記通信端末装置から当該通信端末装置のユーザが前記気象情報を所望する地点の位置情報を目的地指定情報として取得する目的地指定情報取得手段と、
前記取得された目的地指定情報によって指定される目的地と前記収集した各通信端末装置の現在位置とに基づいて、当該目的地から現実空間における所定の距離範囲内に存在する他の前記通信端末装置を特定する特定手段と、
前記特定された他の通信端末装置から前記気象情報の演算及び生成に必要となる当該他の通信端末装置の周辺環境の状態を示す状態情報を取得する状態情報取得手段と、
前記取得された状態情報に基づいて、前記気象情報を生成する生成手段と、
を具備することを特徴とする、気象情報生成装置。
【請求項２】
請求項１に記載の気象情報生成装置において、
前記生成された前記気象情報を該当する前記通信端末装置に対して配信する配信手段を更に備える、気象情報生成装置。
【請求項３】
請求項１又は２に記載の気象情報生成装置において、
前記状態情報には、当該状態情報の取得元である前記他の通信端末装置によって取得された該当する通信端末装置の周辺環境における画像情報が含まれており、
前記気象情報生成手段が、前記画像情報を含む状態情報に基づいて前記気象情報を生成する、気象情報生成装置。
【請求項４】
請求項３に記載の気象情報生成装置において、
前記画像情報を画像解析することによって前記他の通信端末装置の周囲における路面が濡れているか否かを解析する画像解析手段を更に有し、
前記気象情報生成手段が、前記路面が濡れていると判定された場合に、目的地又はその周辺エリアが降雨状態にある旨を示す気象情報を生成する、気象情報生成装置。
【請求項５】
請求項３に記載の気象情報生成装置において、
前記画像情報を画像解析することによって前記他の通信端末装置のユーザが傘をさしているか否かを解析する画像解析手段を更に有し、
前記気象情報生成手段が、前記傘をさしていると判定した場合に、目的地又はその周辺エリアが降雨状態にある旨を示す気象情報を生成する、気象情報生成装置。
【請求項６】
請求項１〜５のいずれか１項に記載の気象情報生成装置において、
前記状態情報には、当該状態情報の取得元である前記他の通信端末装置によって取得された、周囲の音に対応した音情報が含まれており、
前記気象情報生成手段が、前記音情報に基づいて前記気象情報を生成する、気象情報生成装置。
【請求項７】
請求項１〜６のいずれか１項に記載の気象情報生成装置において、
前記状態情報には、前記状態情報の取得元である前記他の通信端末装置の周囲の明るさが所定の閾値を超えるか否かを示す日照情報が含まれており、
前記気象情報生成手段が、前記日照情報に基づいて前記気象情報を生成する、気象情報生成装置。
【請求項８】
請求項７に記載の気象情報生成装置において、
前記画像情報、各他の携帯用通信端末装置から送信された音情報及び日照情報の各々に対して重み付けを行う重み付け手段を更に有し、
前記状態情報には、前記画像情報、前記音情報及び前記日照情報の少なくともいずれかが含まれており、
前記気象情報生成手段が、前記重み付けされた、画像情報、音情報及び日照情報に基づいて前記気象情報を生成する、気象情報生成装置。
【請求項９】
ネットワークを介して接続された複数の通信端末装置に所定の地点における気象情報を提供するコンピュータを、
前記各通信端末装置の現在位置を、現在位置情報として収集する収集手段、
一の前記通信端末装置から当該通信端末装置のユーザが前記気象情報を所望する地点の位置情報を目的地指定情報として取得する目的地指定情報取得手段、
前記取得された目的地指定情報によって指定される目的地と前記収集した各通信端末装置の現在位置とに基づいて、当該目的地から現実空間における所定の距離範囲内に存在する他の前記通信端末装置を特定する特定手段、
前記特定された他の通信端末装置から前記気象情報の演算及び生成に必要となる当該他の通信端末装置の周辺環境の状態を示す状態情報を取得する状態情報取得手段、及び、
前記取得された状態情報に基づいて、前記気象情報を生成する生成手段、
として機能させることを特徴とするプログラム。
【請求項１０】
前記ネットワークに接続された複数の通信端末装置と、
前記通信端末装置に所定の地点における気象情報を提供するサーバ装置と、
を備え、
前記サーバ装置は、  
前記各通信端末装置の現在位置を、現在位置情報として収集する収集手段と、
一の前記通信端末装置から当該通信端末装置のユーザが前記気象情報を所望する地点の位置情報を目的地指定情報として取得する目的地指定情報取得手段と、
前記取得された目的地指定情報によって指定される目的地と前記収集した各通信端末装置の現在位置とに基づいて、現実空間における所定の距離範囲内に存在する他の前記通信端末装置を特定する特定手段と、
前記特定された他の通信端末装置から前記気象情報の演算及び生成に必要となる当該他の通信端末装置の周辺環境の状態を示す状態情報を取得する状態情報取得手段と、
前記取得された状態情報に基づいて、前記気象情報を生成する生成手段と、
を具備することを特徴とする通信システム。
【発明の詳細な説明】
【技術分野】
【０００１】
本発明は、携帯用電話機などの通信端末装置と連動して天気予報又は降水確率、温度若しくは湿度等の気象情報を生成及び提供する気象情報生成装置、プログラム及び通信システムに関する。
【背景技術】
【０００２】
近年、ＷＷＷ（Ｗｏｒｌｄ  Ｗｉｄｅ  Ｗｅｂ）などのネットワーク技術の発展、及び、タブレット型情報端末装置やスマートフォンなどに代表される情報通信端末装置（以下、「通信端末装置」という。）の進歩に伴い、これら通信端末装置のユーザは、ＳＮＳ（ソーシャル・ネットワーク・サービス）に代表される情報の共有及び提供サービスを通して、いつでも、手軽に天気予報や降水確率、温度、湿度等の気象情報を取得できるようになっている。例えば、この気象情報は、気象庁の気象観測システム（アメダス：ＡＭｅＤＡＳ（Ａｕｔｏｍａｔｅｄ  Ｍｅｔｅｏｒｏｌｇｉｃａｌ  ＤＡＴＡ  Ａｑｕｉｓｉｔｉｏｎ  Ｓｙｓｔｅｍ））を用いて取得された情報に基づいて生成され、通信端末装置に提供されるようになっている。
【０００３】
このアメダスによる気象情報は、比較的広範囲（例えば、数ｋｍ〜数百ｋｍ程度。）な地域の気象に関する情報は取得できるが、例えば、東京駅周辺数十〜数百ｍ程度というようなピンポイントな地点の気象情報を的確に把握することは難しい。そこで、最近では、温度センサ及び湿度センサからなる晴雨センサを内蔵させた複数の携帯用電話機から天気情報のサンプルを取得して気象情報を生成し、ユーザの要求に基づいて当該生成した気象情報を提供するシステムが提案されている（例えば、特許文献１）。
【０００４】
具体的には、このシステムのサーバ装置は、各携帯用電話機に設けられた晴雨センサによって取得されたデータに基づいて、該当する携帯用電話域が存在する位置の晴雨を判定し、当該判定結果を示す天気情報を、位置情報とともに蓄積するように構成されている。そして、このサーバ装置は、携帯用電話機からの要求があったときに、蓄積済みの位置情報及び天気情報に基づいて、気象情報を生成し、該当する携帯電話機に提供するように構成されている。
【先行技術文献】
【特許文献】
【０００５】
【特許文献１】特開２００２−９９５７６号公報
【発明の概要】
【発明が解決しようとする課題】
【０００６】
しかしながら、上記特許文献１に開示されたシステムにあっては、携帯用電話機に内蔵された晴雨センサにおける判定結果のみに基づいて、サーバ装置が気象情報を生成しているため、気象情報の精度が低くなり、正確な気象情報を提供することは難しい。
【０００７】
また、上記のシステムにあっては、例えば、外出しようとするユーザが、その目的地近辺の出発時における天候を把握し、傘を持ち歩くべきか否かを判断したいような場合であっても、目的地近辺のリアルタイムで正確な気象情報を当該ユーザの通信端末装置に提供することが難しい。
【０００８】
本発明は、上記課題を解決するためになされたものであり、その目的は、ユーザが所望する目的地の正確な気象情報を生成することが可能な気象情報生成装置等を提供することにある。
【課題を解決するための手段】
【０００９】
（１）上述した課題を解決するため、本発明に係る気象情報生成装置は、ネットワークを介して接続された通信端末装置に所定の地点における気象情報を提供する気象情報生成装置であって、複数の前記通信端末装置の現在位置を、現在位置情報として収集する収集手段と、一の前記通信端末装置から当該通信端末装置のユーザが前記気象情報を所望する地点の位置情報を目的地指定情報として取得する目的地指定情報取得手段と、前記取得された目的地指定情報によって指定される目的地と前記収集した各通信端末装置の現在位置とに基づいて、当該目的地から現実空間における所定の距離範囲内に存在する他の前記通信端末装置を特定する特定手段と、前記特定された他の通信端末装置から前記気象情報の演算及び生成に必要となる当該他の通信端末装置の周辺環境の状態を示す状態情報を取得する状態情報取得手段と、前記取得された状態情報に基づいて、前記気象情報を生成する生成手段と、を具備する構成を有している。
【００１０】
この構成より、本発明に係る気象情報生成装置は、ユーザによって通信端末装置を介して目的地が設定されると、当該目的地から所定の距離（例えば、５０ｍ）範囲内に存在する、他の通信端末装置を特定し、当該特定した通信端末装置によって収集した周辺環境の状態に基づいて前記気象情報を生成することができる。
【００１１】
したがって、本発明に係る気象情報生成装置は、目的地周辺の気象に関する環境の状況をリアルタイムに収集することができるので、当該目的地の正確な気象情報を生成することができる。
【００１２】
（２）また、本発明に係る気象情報生成装置は、前記生成された前記気象情報を該当する前記通信端末装置に対して配信する配信手段を更に備える、構成を有している。
【００１３】
この構成により、本発明に係る気象情報生成装置は、例えば、ネットワークを介して、目的地を設定した通信端末装置のユーザに対して、リアルタイムで正確な気象情報を提供することができる。
【００１４】
（３）また、本発明に係る気象情報生成装置は、前記状態情報には、当該状態情報の取得元である前記他の通信端末装置によって取得された該当する通信端末装置の周辺環境における画像情報が含まれており、前記気象情報生成手段が、前記画像情報を含む状態情報に基づいて前記気象情報を生成する、構成を有している。
【００１５】
この構成により、本発明に係る気象情報生成装置は、例えば、雨による路面が濡れた状態か否か、又は、画像情報の取得元のユーザが傘をさしているか否かなど、降雨時に必須となる環境を画像によって判定することができるので、正確に降雨状況を特定することができるので、降雨判定の精度を高めつつ、気象情報を生成することが可能となる。
【００１６】
（４）また、本発明に係る気象情報生成装置は、前記画像情報を画像解析することによって前記他の通信端末装置の周囲における路面が濡れているか否かを解析する画像解析手段を更に有し、前記気象情報生成手段が、前記路面が濡れていると判定された場合に、目的地又はその周辺エリアが降雨状態にある旨を示す気象情報を生成する、構成を有している。
【００１７】
この構成により、本発明に係る気象情報生成装置は、雨による路面が濡れた状態か否かを解析することによって、通信端末装置の周囲の降雨の状況を判定することができるので、画像情報の取得元である通信端末装置の周囲の状況を詳細に把握することが可能となる。
【００１８】
（５）また、本発明に係る気象情報生成装置は、前記画像情報を画像解析することによって前記他の通信端末装置のユーザが傘をさしているか否かを解析する画像解析手段を更に有し、前記気象情報生成手段が、前記傘をさしていると判定した場合に、目的地又はその周辺エリアが降雨状態にある旨を示す気象情報を生成する、構成を有している。
【００１９】
この構成により、本発明に係る気象情報生成装置は、画像情報の取得元のユーザが傘をさしているか否かを解析することによって、通信端末装置の周囲の降雨の状況を判定することができるので、画像情報の取得元である通信端末装置の周囲の状況を詳細に把握することが可能となる。
【００２０】
（６）また、本発明に係る気象情報生成装置は、前記状態情報には、当該状態情報の取得元である前記他の通信端末装置によって取得された、周囲の音に対応した音情報が含まれており、前記気象情報生成手段が、前記音情報に基づいて前記気象情報を生成する、構成を有している。
【００２１】
この構成により、本発明に係る気象情報生成装置は、周波数に基づく雨音の有無等の音情報を解析することによって、通信端末装置の周囲の降雨の状況を判定することができるので、降雨判定の精度を高めつつ、気象情報を生成することが可能となる。特に、本発明に係る気象情報生成装置は、ゲリラ豪雨のように激しい雨が降っている場合には、正確に降雨状況を特定することができる。
【００２２】
（７）また、本発明に係る気象情報生成装置は、前記状態情報には、前記状態情報の取得元である前記他の通信端末装置の周囲の明るさが所定の閾値を超えるか否かを示す日照情報が含まれており、前記気象情報生成手段が、前記日照情報に基づいて前記気象情報を生成する、構成を有している。
【００２３】
この構成により、本発明に係る気象情報生成装置は、照度などを計測することによって、通信端末装置の周囲の降雨の状況を判定することができるので、降雨判定の精度を高めつつ、気象情報を生成することが可能となる。特に、本発明に係る気象情報生成装置は、曇り又は降雨時の暗くなった周囲の状況を特定することができる。
【００２４】
（８）また、本発明に係る気象情報生成装置は、前記画像情報、各他の携帯用通信端末装置から送信された音情報及び日照情報の各々に対して重み付けを行う重み付け手段を更に有し、前記状態情報には、前記画像情報、前記音情報及び前記日照情報の少なくともいずれかが含まれており、前記気象情報生成手段が、前記重み付けされた、画像情報、音情報及び日照情報に基づいて前記気象情報を生成する、構成を有している。
【００２５】
この構成により、本発明に係る気象情報生成装置は、例えば、画像、音、日照のいずれかが信用に値しないような場合に、当該情報に対する重み付けを低くして、信用性の高い情報に基づいて気象情報を生成することができる。
【００２６】
（９）上述した課題を解決するため、本発明に係るプログラムは、ネットワークを介して接続された複数の通信端末装置に所定の地点における気象情報を提供するコンピュータを、前記各通信端末装置の現在位置を、現在位置情報として収集する収集手段、一の前記通信端末装置から当該通信端末装置のユーザが前記気象情報を所望する地点の位置情報を目的地指定情報として取得する目的地指定情報取得手段、前記取得された目的地指定情報によって指定される目的地と前記収集した各通信端末装置の現在位置とに基づいて、当該目的地から現実空間における所定の距離範囲内に存在する他の前記通信端末装置を特定する特定手段、前記特定された他の通信端末装置から前記気象情報の演算及び生成に必要となる当該他の通信端末装置の周辺環境の状態を示す状態情報を取得する状態情報取得手段、及び、前記取得された状態情報に基づいて、前記気象情報を生成する生成手段、として機能させることを特徴とする、構成を有している。
【００２７】
この構成より、本発明に係るプログラムは、ユーザによって通信端末装置を介して目的地が設定されると、当該目的地から所定の距離（例えば、５０ｍ）範囲内に存在する、他の通信端末装置を特定し、当該特定した通信端末装置によって収集した周辺環境の状態に基づいて前記気象情報を生成することができる。
【００２８】
したがって、本発明に係るプログラムは、目的地周辺の気象に関する環境の状況をリアルタイムに収集することができるので、当該目的地の正確な気象情報を生成することができる。
【００２９】
（１０）上述した課題を解決するため、本発明に係る通信システムは、前記ネットワークに接続された複数の通信端末装置と、前記通信端末装置に所定の地点における気象情報を提供するサーバ装置と、を備える通信システムであって、前記サーバ装置は、前記各通信端末装置の現在位置を、現在位置情報として収集する収集手段と、一の前記通信端末装置から当該通信端末装置のユーザが前記気象情報を所望する地点の位置情報を目的地指定情報として取得する目的地指定情報取得手段と、前記取得された目的地指定情報によって指定される目的地と前記収集した各通信端末装置の現在位置とに基づいて、現実空間における所定の距離範囲内に存在する他の前記通信端末装置を特定する特定手段と、前記特定された他の通信端末装置から前記気象情報の演算及び生成に必要となる当該他の通信端末装置の周辺環境の状態を示す状態情報を取得する状態情報取得手段と、前記取得された状態情報に基づいて、前記気象情報を生成する生成手段と、を具備する、構成を有している。
【００３０】
この構成より、本発明に係る気象情報生成装置は、ユーザによって通信端末装置を介して目的地が設定されると、当該目的地から所定の距離（例えば、５０ｍ）範囲内に存在する、他の通信端末装置を特定し、当該特定した通信端末装置によって収集した周辺環境の状態に基づいて前記気象情報を生成することができる。
【００３１】
したがって、本発明に係る気象情報生成装置は、目的地周辺の気象に関する環境の状況をリアルタイムに収集することができるので、当該目的地の正確な気象情報を生成することができる。
【発明の効果】
【００３２】
本発明の気象情報生成装置、プログラム、及び、通信システムは、目的地周辺の気象に関する環境の状況をリアルタイムに収集することができるので、当該目的地の正確な気象情報を生成することができる。
【図面の簡単な説明】
【００３３】
【図１】本発明に係る一実施形態の通信システムの構成を示すシステム構成図である。
【図２】一実施形態の通信システムの動作概要を示す概念図である。
【図３】一実施形態の通信端末装置の構成を示すブロック図である。
【図４】一実施形態の情報提供サーバ装置の構成を示すブロック図である。
【図５】一実施形態のサーバ装置内に設けられたユーザ管理データベースに記録されるデータの一例を示す図である。
【図６】一実施形態のサーバ装置内に設けられた状態情報データベースに記録されるデータの一例を示す図である。
【図７】一実施形態の、情報提供サーバ装置内に設けられたデータ処理部により得られる各パラメータの値の一例を示す図である。
【図８】一実施形態の通信システムにおいて実行される処理を示すフローチャートである。
【発明を実施するための形態】
【００３４】
以下、図面を参照しつつ、本発明の実施形態について説明する。なお、以下の実施形態は、通信端末装置と、当該通信端末装置とネットワークを介して接続されるサーバ装置と、を有する通信システムに対し、本発明に係る、気象情報生成装置、プログラム及び通信システムを適用した場合の実施形態である。
【００３５】
［１］通信システムの概要
まず、図１及び図２の各図を用いて本実施形態における通信システム１の構成及び概要について説明する。
【００３６】
なお、図１は、本実施形態における通信システム１の構成を示すシステム構成図であり、図２は、本実施形態における通信システム１の動作概要を示す概念図である。また、図が煩雑になることを防止するために、図１及び図２においては、一部のユーザのみを示している。すなわち、実際の通信システム１においては、表示するよりも多数のユーザ、及び、携帯用通信端末装置１０が存在している。さらに、図１は、現実空間ＲＳを概念的に示しており、ＳＮＳに代表される情報提供サービスのユーザが現実空間ＲＳ上に存在している状況を概念的に示している。
【００３７】
本実施形態の通信システム１は、ユーザが外出する際に傘を持つか否か、又は、服装の選択等の外出する際に必要な天候情報を取得するために、降雨の有無を含む気象情報を、ユーザに提供するシステムである。
【００３８】
そして、本実施形態の通信システム１は、上記機能を実現するため、図１に示すように、各ユーザによってそれぞれ所持される複数の通信携帯端末装置１０と、ネットワーク２０と、携帯用通信端末装置１０からの要求に基づいて気象情報を生成し、該当する携帯用通信端末装置１０に生成した気象情報を提供する情報提供サーバ装置３０と、を有している。
【００３９】
なお、各通信携帯端末装置１０は、基地局ＢＳを介してネットワーク２０に接続される。また、ネットワーク２０は、例えば、携帯電話網を含む公衆電話網と、ＩＰ（Ｉｎｔｅｒｎｅｔ  Ｐｒｏｔｏｃｏｌ）ネットワークが相互接続されて構成される。ただし、当該ネットワーク２０の構成は、これに限られない。また、各通信携帯端末装置１０は、ＧＰＳ（Ｇｌｏｂａｌ  Ｐｏｓｉｔｉｏｎｉｎｇ  Ｓｙｓｔｅｍ）衛星４０からの信号に基づいて現在位置を検出する。
【００４０】
各携帯用通信端末装置１０は、例えば、携帯型音楽プレーヤー、携帯型ゲーム機、タブレット型情報端末装置、スマートフォン、又は、携帯用電話機等のユーザによって携帯可能な通信端末装置である。
【００４１】
特に、各通信携帯端末装置１０は、ユーザの目的地の経度及び緯度を目的地位置情報として付加した目的地指定情報を情報提供サーバ装置３０に送信し、当該目的地近辺の気象情報を情報提供サーバ装置３０から取得する構成を有しており、取得した気象情報をユーザが閲覧可能な状態で表示するようになっている。
【００４２】
また、各通信携帯端末装置１０は、情報提供サーバ装置３０の要求に基づいて、現実空間における現地位置を示す現在位置情報を当該情報サーバ装置３０に提供するとともに、情報提供サーバ装置３０において気象情報を生成するために用いられる情報であって、自機の周辺の画像、音及び日照などの各状態を示す情報（以下、「状態情報」という。）を取得又は収集し、情報提供サーバ装置３０に送信する構成を有している。
【００４３】
本実施形態の状態情報には、
（１）通信端末装置１０にて撮像された画像に対応する画像データと、
（２）当該通信端末装置１０にて録音された当該通信端末装置１０周囲の音に対応する音データと、
（３）当該通信端末装置１０の周囲の明るさを示す日照（照度）データと、
が含まれる。
【００４４】
また、この携帯用通信端末装置１０は、ＸＭＬ（ｅＸｔｅｎｓｉｂｌｅ  Ｍａｒｋｕｐ  Ｌａｎｇｕａｇｅ）等のマークアップ言語によって記述されているＷＷＷシステム用のリソースデータと、当該リソースデータのネットワークアドレスを示す固有のＵＲＬ（Ｕｎｉｆｏｒｍ  Ｒｅｓｏｕｒｃｅ  Ｌｏｃａｔｏｒ）とを用いつつ、情報提供サーバ装置３０と、データ通信を行うブラウジング機能を有している。
【００４５】
そして、携帯用通信端末装置１０は、当該ブラウジング機能を用いて、情報提供サーバ装置３０から取得したリソースデータに基づいて、当該リソースデータに対応するコンテンツ（気象情報を含む）をユーザが閲覧可能に表示するとともに、基地局ＢＳ及びネットワーク２０を介して情報提供サーバ装置３０と通信接続しつつ、情報提供サーバ装置３０と現在位置などの種々のデータの授受を実行する構成を有している。
【００４６】
情報提供サーバ装置３０は、携帯用通信端末装置１０からの要求に応じて気象情報を生成して配信する構成を有している。特に、情報提供サーバ装置３０は、ユーザからの要求に基づいて、目的地におけるリアルタイムで正確な気象情報を当該ユーザの携帯用通信端末装置１０に提供する構成を有している。
【００４７】
具体的には、情報提供サーバ装置３０は、各通信端末装置１０から所定のタイミング又は所定の時間間隔（例えば、一分間隔）毎に当該通信端末装置１０の位置情報を収集し、当該収集した位置情報をデータベース（以下、「ＤＢ」という。）に登録する構成を有している。
【００４８】
また、情報提供サーバ装置３０は、所定の通信端末装置１０から気象情報の取得要求を受信した場合に、当該目的地指定情報に付加されている目的地位置情報とデータベース内に登録済みの位置情報を比較して、目的地周辺（例えば、目的地から半径５０ｍ以内のエリア）に存在する通信携帯端末装置１０（すなわち、現実空間ＲＳにおいて目的地周辺に存在するユーザ又はユーザ群）を特定するとともに、特定した通信携帯端末装置１０から上記の画像データ、音データ及び日照データの状態情報を取得する構成を有している。
【００４９】
そして、情報提供サーバ装置３０は、状態情報をＤＢに登録させるとともに、当該取得された状態情報に基づく演算処理を実行して気象情報を生成し、生成した気象情報を、取得要求を送信した通信携帯端末装置１０に配信する構成を有している。
【００５０】
このような構成を有することによって、本実施形態の通信システム１においては、ユーザによって携帯用通信端末装置１０を介して目的地が設定されると、当該目的地から所定の距離（例えば、５０ｍ）範囲内に存在する、他の携帯用通信端末装置１０を特定し、当該特定した携帯用通信端末装置１０によって収集した周辺環境の状態に基づいて気象情報を生成することができるようになっている。
【００５１】
したがって、本実施形態の通信システム１においては、目的地周辺の気象に関する環境の状況をリアルタイムに収集することができるので、当該目的地の正確な気象情報を生成することができるようになっている。
【００５２】
［２］携帯用通信端末装置の構成
次に、図３を用いて本実施形態の各携帯用通信端末装置１０の構成について説明する。なお、図３は、本実施形態の携帯用通信端末装置１０の構成を示す構成図である。
【００５３】
本実施形態の携帯用通信端末装置１０は、図３に示すように、種々のデータを記録する記録部１００と、基地局ＢＳを介してネットワーク２０に接続するネットワーク通信部１１０と、ＧＰＳ衛星４０から発信されたＧＰＳ信号に基づいて自機の現在位置を検出する現在位置検出部１２０と、目的地指定情報アプリケーション実行部１３０と、集音用のマイクロホンＭと、を有している。
【００５４】
また、携帯用通信端末装置１０は、所定の画像を表示する表示部１４０と、表示部１４０を制御する表示制御部１５０と、ユーザの操作を受け付ける操作部１６０と、装置全体を管理制御する端末管理制御部１７０と、カメラ機能を有して撮像した画像におけるデータ（すなわち、画像データ）を生成する撮像部１８１と、マイクロホンＭから集音された音におけるデータ（すなわち、音データ）を生成する音データ生成部１８２と、日照測定を実行する日照測定部１８３と、を有している。
【００５５】
なお、上記の各部は、バスＢによって相互に接続され、各構成要素間におけるデータの転送が実行される。また、アプリケーション実行部１３０は、実装上、端末管理制御部１７０を構成するＣＰＵ（中央処理装置）が、アプリケーションプログラム（以下、「アプリケーション」という。）を実行した際の機能として実現されるものであってもよい。
【００５６】
記録部１００は、例えば、ハードディスクドライブ（以下、「ＨＤＤ」と略す。）、又は、ＮＡＮＤ型、ＮＯＲ型等の不揮発性フラッシュメモリによって構成される。また、記録部１００は、目的地指定情報アプリケーション実行部１３０、端末管理制御部１７０及び状態情報生成部１８０のワークエリアとしてＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ  ）も含まれる。
【００５７】
また、記録部１００には、現在位置検出部１２０、目的地指定情報アプリケーション実行部１３０及び端末管理制御部１７０によって実行される様々なアプリケーションが記録されているとともに、上記ブラウジング機能を実現するためのプログラム（以下、単に「ブラウザ」ともいう。）も記録されている。
【００５８】
さらに、記録部１００には、当該携帯用通信端末装置１０のユーザがＳＮＳ等の気象情報の生成及び状態情報のアップロードを行うサービス（以下、「気象情報提供サービス」ともいう。）の提供を受ける際に必要となる各種の管理データが記録される。例えば、ＳＮＳによって気象情報提供サービスを実行する場合には、管理データとして、ＳＮＳのサイトに対応するＵＲＬと、当該ユーザが利用している電子メールのメールアドレスと、当該ユーザのアカウント及びユーザをＳＮＳ内において識別するためのユーザＩＤと、ログイン用のパスワードと、が記録されてもよい。
【００５９】
ネットワーク通信部１１０は、基地局ＢＳの準拠する通信規格により、基地局ＢＳと無線通信チャネルを構築し、ネットワーク２０を経由して、情報提供サーバ装置３０と、各種データの授受を行う。
【００６０】
なお、基地局ＢＳの準拠する通信規格はネットワーク２０の構成により変化する。例えば、ネットワーク２０が携帯電話網を含む場合には、３ＧＰＰ（３ｒｄ  Ｇｅｎｅｒａｔｉｏｎ  Ｐｅｒｔｎｅｒｓｈｉｐ  Ｐｒｏｊｅｃｔ）、又は、３ＧＰＰ２、或いは、ＬＴＥ（Ｌｏｎｇ  Ｔｅｒｍ  Ｅｖｏｌｕｔｉｏｎ）などの通信規格に準拠することになる。また、ＩＥＥＥ８０２．１１系の各種ワイヤレスＬＡＮ（Ｗｉｒｅｌｅｓｓ  ｌｏｃａｌ  ａｒｅａ  ｎｅｔｗｏｒｋ）ネットワークを携帯電話網や固定電話網に接続する構成を採用する場合には、対応する通信規格に準拠することになる。
【００６１】
現在位置検出部１２０は、アプリケーション実行部１３０と連動し、所定の時間間隔（例えば、一分）毎に携帯用通信端末装置１０の現在位置を検出しつつ、当該現在位置示す位置情報を生成するとともに、当該位置情報をアプリケーション実行部１３０に供給する。特に、現在位置検出部１２０は、気象情報提供サービスを受けるためのアプリケーションが実行されている場合にも、所定の時間間隔毎に位置情報をアプリケーション実行部１３０に供給する。
【００６２】
例えば、現在位置検出部１２０は、所定の検出タイミングにおいて、図１に示すＧＰＳ（Ｇｌｏｂａｌ  Ｐｏｓｉｔｉｏｎｉｎｇ  Ｓｙｓｔｅｍ）衛星４０の位置を認識しつつ、当該ＧＰＳ衛星４０から送信された衛星信号（ＧＰＳ信号）を受信する。そして、現在位置検出部１２０は、当該受信したＧＰＳ信号に基づいて自機の現在位置の座標値（例えば、緯度及び経度）を算出し、当該座標値に基づいて位置情報として生成する。
【００６３】
なお、携帯用通信端末装置１０のネットワーク通信部１１０が、携帯電話機能を実現するチップセット、又は、ＩＥＥＥ８０２．１１系の各種ワイヤレスＬＡＮ（Ｗｉｒｅｌｅｓｓ  ｌｏｃａｌ  ａｒｅａ  ｎｅｔｗｏｒｋ）の通信プロトコルに従って、無線通信を行う機能を実現するチップセットを用いて構成されている場合には、現在位置検出部１２０は、これらの無線システム等において用いられる、三点測量法、すなわち、基地局ＢＳから受信した電波信号の方角と電波強度に基づいて自機の現在位置を検出してもよい。
【００６４】
アプリケーション実行部１３０は、アプリケーション記憶部１０１に記憶された各種アプリに基づいて、各処理を実現する。特に、アプリケーション実行部１３０は、ＳＮＳ等の気象情報の授受を行うための所定のサービスへのログイン処理、目的指定情報に基づいて情報提供サーバ装置３０に対して気象情報の取得処理（以下、「気象情報取得処理」という。）、及び、自機の現実空間内の位置における気象情報を提供する処理（以下、「自機周辺気象情報提供処理」という。）を実行する。なお、所定のサービスのログイン処理にあっては、ＳＮＳ等の従来の処理と同様であるため、その説明を省略する。
【００６５】
具体的には、アプリケーション実行部１３０は、気象情報所得処理においては、記録部１００に記録されたアプリケーションに従いつつ操作部１７０に対するユーザの入力操作に基づいて、目的地位置情報を生成し、生成した目的地位置情報を付加した目的地指定情報を生成する。そして、アプリケーション実行部１３０は、ネットワーク通信部１１０及び表示制御部１５０と連動しつつ、目的地指定情報とともに目的地の気象情報を取得するための取得要求を送信し、当該送信に基づいて情報提供サーバ装置３０が生成した気象情報を受信して表示部１４０に表示させる。
【００６６】
なお、目的地は、ユーザが操作部１６０に入力を行って、指示する必要があるが、目的地の指示方法は、任意であり、例えば、住所を入力させ、当該住所に対応する目的地位置情報を生成してもよい。また、表示部１４０に地図を表示させ、目的地となる地点をユーザに選択させるようにして、当該選択された地点に対応する目的地位置情報を生成するようにしてもよい。
【００６７】
また、アプリケーション実行部１３０は、撮像部１８１、音データ生成部１８２及び日照測定部１８３と連動して、所定のネットワークサービスにログインしている際に、情報提供サーバ装置３０の要求に基づいて、当該要求時における画像データ、音データ及び日照データを生成させて取得し、取得した画像データ、音データ及び日照データを状態情報として情報提供サーバ装置３０に提供する自機周辺気象情報提供処理を実行する。
【００６８】
表示部１４０は、例えば、液晶素子又は有機ＥＬ（Ｅｌｅｃｔｒｏ  Ｌｕｍｉｎｅｓｃｅｎｃｅ）素子のパネルによって構成され、表示制御部１５０において生成された表示データに基づいて所定の画像を表示する。
【００６９】
表示制御部１５０は、表示部１４０に表示させるために必要な表示データを生成するようになっており、生成された表示データを当該表示部１４０に出力する。
【００７０】
操作部１６０は、各種の確認ボタン、各操作指令を入力する操作ボタン、テンキーなどの多数のキー及びタッチパネルにより構成され、各操作を行う際に用いられるようになっている。
【００７１】
端末管理制御部１７０は、主に中央演算処理装置（ＣＰＵ）によって構成されるとともに、キー入力ポート、表示制御ポート等の各種入出力ポートを含み、記録部１００に記録された各種のアプリケーションを実行することにより、携帯用通信端末装置１０の全般的な機能を総括的に制御する。
【００７２】
撮像部１８１は、光学システムと、該光学システムから入力された光学画像を電気信号に変換するＣＣＤＩ（Ｃｈａｒｇｅ  Ｃｏｕｐｌｅｄ  Ｄｅｖｉｃｅ  Ｉｍａｇｅ  Ｓｅｎｓｏｒ）センサと、ＣＣＤＩセンサ部において生成された電気信号に基づいて写真に対応する画像データを生成する生成部と、を有し、カメラモジュールとして機能する。
【００７３】
また、撮像部１８１は、２つの光学システム及びＣＣＤＩセンサが設けられている。例えば、撮像部１８１は、ユーザが携帯用通信端末装置１０を使用する使用状態おいて、光学システムが携帯用通信端末装置１０を使用するユーザ側に向けて配設されインカメラとして機能するインカメラモジュール（図示しない）と、インカメラモジュールと反対方向に向けて設置されるアウトカメラとして機能するアウトカメラモジュール（図示しない）と、を有している。
【００７４】
そして、撮像部１８１は、インカメラモジュール及びアウトカメラモジュールの双方によって撮像された画像に対応する画像データ（以下、インカメラモジュールによって撮像された画像データを、「イン画像データ」、アウトカメラモジュールによって撮像された画像データを「アウト画像データ」という。）を生成するとともに、当該生成した画像データを状態情報の一部としてアプリケーション実行部１３０に供給する。
【００７５】
なお、撮像部１８１は、携帯用通信端末装置１０がアクティブでない場合（例えば、待ち受け画面の状態）には、非アクティブを示す情報（例えば−（ｎｕｌｌ））を、画像データの代わりにアプリケーション実行部１３０に供給するようになっている。
【００７６】
音データ生成部１８２は、マイクロホンＭによって集音された音を音データに変換し、当該音データを状態情報の一部として、アプリケーション実行部１３０に供給する。なお、携帯用通信端末装置１０がアクティブでない場合には、撮像部１８０と同様に、非アクティブを示す情報（例えば−（ｎｕｌｌ））を、音データの代わりにアプリケーション実行部１３０に供給する。
【００７７】
日照測定部１８３は、光電素子を含み、通信端末装置１０周辺の明るさ（照度）に応じて変化する電圧、又は、電流値に基づき日照データを生成する。具体的には、日照測定部１８３は、光電素子からの出力電圧、又は、電流値が所定の閾値を超える場合に「１」、超えない場合に「０」、携帯用通信端末装置１０が非アクティブの場合には、撮像部１８０及び音データ生成部１８２と同様に、「−（ｎｕｌｌ）」、に設定されるパラメータＤを含む、日照データを生成し、状態情報の一部として、アプリケーション実行部１３０に供給する。
【００７８】
［３］サーバ装置
［３．１］サーバ装置の構成
次に、図４〜図６の各図を用いて本実施形態の情報提供サーバ装置３０の構成について説明する。なお、図４は、本実施形態の情報提供サーバ装置３０の構成を示すブロック図であり、図５は、本実施形態における情報提供サーバ装置３０内のユーザ管理ＤＢ３３１に記録されるデータの一例を示す図である。また、図６は、本実施形態における情報提供サーバ装置３０内の状態情報ＤＢ３３２に記録されるデータの一例を示す図である。
【００７９】
本実施形態の情報提供サーバ装置３０は、図４に示すように、ネットワーク２０に接続される通信制御部３１０と、各種のメモリとして機能するＲＯＭ／ＲＡＭ３２０と、現在日時を特定するためのタイマ３３０と、各種のデータベースを有する記録装置３４０と、装置全体を制御するサーバ管理制御部３５０と、気象情報生成処理その他の処理を実行するデータ処理部３６０と、を有する。
【００８０】
通信制御部３１０は、所定のネットワークインターフェースであり、携帯用通信端末装置１０と通信チャネルを構築し、各種データの授受を行う。
【００８１】
ＲＯＭ／ＲＡＭ３２０には、情報提供サーバ装置３０の駆動に必要な各種のプログラムが記録されている。また、ＲＯＭ／ＲＡＭ３２０は、サーバ管理制御部３５０やデータ処理部３６０が各種の処理を実行する際のワークエリアとして用いられる。
【００８２】
記録装置３４０は、ＨＤＤ（ハードディスクドライブ）又は、ＳＳＤ（Ｓｏｌｉｄ  Ｓｔａｔｅ  Ｄｒｉｖｅ）により構成される。そして、記録装置３４０は、少なくとも、気象情報の提供サービスの提供を受けるユーザの管理を行うユーザ管理ＤＢ３４１と、状態情報ＤＢ３４２と、が設けられている。
【００８３】
ユーザ管理ＤＢ３４１は、気象情報の提供サービスの利用登録を行っている各ユーザを管理するための各種情報がデータとして格納されるデータベースである。例えば、ユーザ管理ＤＢ３４１には、図５に示すように、
（１）各ユーザに対応するユーザＩＤと、
（２）当該ユーザのユーザ名などの属性を含むユーザ情報と、
（３）当該ユーザの現在位置に対応する位置情報と、
が対応付けて登録される。
【００８４】
なお、図５に例示する場合には、ユーザＩＤ「１０１」により特定されるユーザに対して「ｕｓｅｒ１ｐｒｏｆｉｌｅ」なるユーザ情報と「Ｎ：３５：０２：１１、Ｅ：１４０：０１：２０」なる位置情報が対応付けて格納されている。
【００８５】
また、ユーザが移動した場合であっても、当該ユーザの現在位置をＤＢ３４１に反映させるため、ユーザ管理ＤＢ３４１に記録される位置情報は、当該サービスルへのログイン状態において、所定の時間間隔（例えば一分）毎に、対応する携帯用通信端末装置１０から随時取得され、かつ、更新される
【００８６】
状態情報ＤＢ３４２は、各携帯用通信端末装置１０の自機周辺気象情報提供処理に基づいて首取得した状態情報を管理するためのデータベースである。例えば、状態情報ＤＢ３４２には、図６に例示するように、
（１）目的地位置情報に対応する地点から所定の距離範囲内に存在する携帯用通信端末装置１０のユーザ群の各ユーザに対応したユーザＩＤと、
（２）当該携帯用通信端末装置１０から取得された画像データ、音データ及び日照データを含む状態情報と、
が対応付けて格納される。
【００８７】
サーバ管理制御部３５０は、主に中央演算処理装置（ＣＰＵ）によって構成され、プログラムを実行することによって、サーバ装置３０の各部を統合制御する機能を有する。
【００８８】
データ処理部３６０は、サーバ管理制御部３５０による制御の下、目的地位置情報に対応する地点周辺の気象情報を生成する構成を有している。データ処理部３６０は、通信端末特定部３６１と、画像解析部３６２と、音解析部３６３と、照度解析部３６４と、晴雨判定部３６５と、気象情報生成管理部３６６と、有している。また、上記の各部は、バスＢによって相互に接続され、各構成要素間におけるデータの転送が実行される。
【００８９】
なお、例えば、本実施形態の通信端末特定部３６１は、本発明に係る収集手段、特定手段及び状態情報取得手段を構成し、画像解析部３６２は、本発明に係る生成手段及び画像解析手段を構成する。また、例えば、音解析手段３６３、照度解析手段３６４、晴雨判定部３６５及び気象情報生成管理部３６６は、本発明に係る生成手段を構成する。
【００９０】
通信端末特定部３６１は、気象情報生成管理部３６６の管理の下、所定の携帯用通信端末装置１０から気象情報の取得要求が受信された場合に、当該取得要求に含まれる目的地指定情報によって特定される目的地の周辺の状態情報を得るための携帯用通信端末装置１０を特定する。具体的には、通信端末特定部３６１は、目的地指定情報に付加された目的地位置情報及びユーザ管理ＤＢ３４１に格納された位置情報に基づいて、目的地から所定の距離範囲内に存在するユーザ群に含まれるユーザのユーザＩＤを特定し、特定したユーザＩＤを気象情報生成管理部３６６に供給する。
【００９１】
なお、気象情報の提供サービスに登録されたユーザの携帯用通信端末装置１０であって、ログイン中でない携帯用通信端末装置１０は、位置情報自体がユーザ管理ＤＢ３４１に登録されていないために、当該携帯用通信端末装置１０は、特定されることはない。
【００９２】
画像解析部３６２は、気象情報生成管理部３６６の管理の下、通信端末特定部３６１によって特定された各ユーザＩＤに基づいて、状態情報ＤＢ３４２に格納済みの状態情報に含まれる各画像データを読み出し、当該読み出した各画像データを解析する。
【００９３】
具体的には、画像解析部３６２は、状態情報における該当するイン画像データを読み出して、当該携帯用通信端末装置１０のユーザが傘をさしているか否かを判定する。そして、画像解析部３６２は、当該判定結果を示すパラメータ（以下、「パラメータＡ」という。）を生成し、生成したパラメータＡを晴雨判定部３６５に供給する。
【００９４】
例えば、画像解析部３６２は、パターンＡの生成にあっては、事前に開いた状態の傘の骨の画像パターンを登録しておき、当該画像パターンと一致する画像がイン画像データに含まれているか否かを判定する。そして、画像解析部３６２は、傘をさしていると判定した場合には、パラメータＡを「１」に設定し、傘をさしていないと判定した場合には、パラメータＡを「０」に設定する。
【００９５】
なお、画像解析部３６２は、イン画像データが状態情報ＤＢ３４２に記録されておらず、特定したユーザＩＤにおい当該イン画像データを読み出すことができなかった場合（すなわち、状態情報が「−（ｎｕｌｌ）」の場合）には、パラメータＡに「０」を設定する。また、本実施形態におけるイン画像データからパラメータＡを生成する手法は任意である。
【００９６】
また、画像解析部３６２は、状態情報における該当するアウト画像データを読み出し、当該携帯用通信端末装置１０の周辺の路面が濡れているか否かを判定する。そして、画像解析部３６２は、当該判定結果を示すパラメータ（以下、「パラメータＢ」という。）を生成し、生成したパラメータＢを晴雨判定部３６５に供給する。
【００９７】
例えば、画像解析部３６２は、参考文献１（手島、植松等、参考ＵＲＬ：ｈｔｔｐ：／／ｈｖｒｌ．ｉｃｓ．ｋｅｉｏ．ａｃ．ｊｐ／ｐａｐｅｒ／ｐｄｆ／ｍｉｒｕ２００８＿ｔｏｍｏａｋｉ．ｐｄｆ）の手法を用いて携帯用通信端末装置１０の周辺の路面が濡れているか否かを判定する。そして、画像解析部３６２は、路面が濡れていると判定した場合には、パラメータＢに「１」を設定し、路面が濡れていないと判定した場合には、パラメータＢに「０」を設定する。
【００９８】
なお、画像解析部３６２は、イン画像データと同様に、アウト画像データが状態情報ＤＢ３４２に記録されておらず、特定したユーザＩＤにおい当該イン画像データを読み出すことができなかった場合（すなわち、状態情報が「−（ｎｕｌｌ）」の場合）には、パラメータＢに「０」を設定する。また、本実施形態におけるアウト画像データからパラメータＢを生成する手法は任意である。
【００９９】
音解析部３６３は、気象情報生成管理部３６６の管理の下、通信端末特定部３６１によって特定された各ユーザＩＤに基づいて、状態情報ＤＢ３４２に格納済みの状態情報に含まれる各音データを読み出し、当該読み出した各音データを解析する。
【０１００】
具体的には、音解析部３６３は、状態情報における該当する音データを読み出して、携帯用通信端末装置１０の周囲において雨が降っているか否かを判定する。そして、音解析部３６３は、当該判定結果を示すパラメータ（以下、「パラメータＣ」という。）を生成し、生成したパラメータＣを晴雨判定部３６５に供給する。
【０１０１】
例えば、音解析部３６３において、降雨状況において発生する雨音の周波数パターンを、事前に登録しておき、当該周波数パターンと一致する音が音データに含まれているか否かを判定する。そして、音解析部３６３は、雨が降っていると判定した場合に、パラメータＣを「１」に設定し、雨が降っていないと判定した場合に、パラメータＣを「０」に設定する。
【０１０２】
なお、音解析部３６３は、音データが状態情報ＤＢ３４２に記録されておらず、特定したユーザＩＤにおいて当該音データを読み出すことができなかった場合（すなわち、状態情報が「−（ｎｕｌｌ）」の場合）には、パラメータＣを「０」に設定する。また、本実施形態において、音データからパラメータＣを生成する手法は任意である。
【０１０３】
照度解析部３６４は、気象情報生成管理部３６６の管理の下、通信端末特定部３６１によって特定された各ユーザＩＤに基づいて、状態情報ＤＢ３４２に格納済みの状態情報に含まれる各日照データを読み出し、当該読み出した各日照データを解析する。
【０１０４】
具体的には、照度解析部３６４は、状態情報における該当する日照データを読み出して、携帯用通信端末装置１０の周囲において雨が降っているか否かを判定する。そして、照度解析部３６４は、当該判定結果を示すパラメータ（以下、「パラメータＤ」という。）を生成し、生成したパラメータＤを晴雨判定部３６５に供給する。
【０１０５】
例えば、照度解析部３６４において、事前に雨が降っていると判定可能な閾値となる照度を登録しておき、各日照データの値が当該閾値より小さいか否かを判定する。そして、照度解析部３６３は、雨が降っていると判定した場合に、パラメータＤを「１」に設定し、雨が降っていないと判定した場合に、パラメータＤを「０」に設定する。
【０１０６】
なお、照度解析部３６４は、日照データが状態情報ＤＢ３４２に記録されておらず、特定したユーザＩＤにおいて当該日照データを読み出すことができなかった場合（すなわち、状態情報が「−（ｎｕｌｌ）」の場合）には、パラメータＤを「０」に設定する。また、本実施形態において、日照データからパラメータＤを生成する手法は任意である。
【０１０７】
晴雨判定部３６５は、画像解析部３６２、音解析部３６３及び照度解析部３６４において、該当する携帯用通信端末装置１０の状態情報に基づいて生成されたパラメータＡ、Ｂ、Ｃ及びＤの４つのパラメータを用いて目的地指定情報によって特定される目的地に雨が降っているか否かを判定する。なお、本実施形態の晴雨判定部３６５における判定処理の詳細については後述する。
【０１０８】
気象情報生成管理部３６６は、気象情報の提供サービスにログインした状態の携帯用通信端末装置１０から所定の時間間隔にて位置情報を取得し、ユーザ管理ＤＢ３４１を更新するとともに、気象情報を所望するユーザの携帯用通信端末装置１０から送信された目的地指定情報を通信制御部３１０を介して受信した場合に、画像解析部３６２、音解析部３６３、及び照度解析部３６４及び晴雨判定部３６５と連動して、気象情報を生成する気象情報生成処理を実行し、生成した気象情報（具体的には、雨か雨でないか）を該当する携帯用通信端末装置１０に配信する。
【０１０９】
なお、気象情報生成管理部３６６は、「雨」の気象情報を該当する携帯用通信端末装置１０に配信する場合には、「雨」を示す情報の他に、「雨が降っているので傘を持って外出して下さい。できれば、レインコートを着た方が良いかもしれません」などの文字列を気象情報に含ませるようにしてもよい。また、気象情報生成管理部３６６は、「雨が降っていない」ことを配信する場合には、当該情報の他に、「晴れているので、傘は不要です」等の文字列を気象情報に含ませるようにしてもよい。
【０１１０】
［３．２］晴雨判定部
次に、図７を用いて本実施形態の情報提供サーバ装置３０における晴雨判定部３６５の判定処理の詳細について説明する。なお、図７は、情報提供サーバ装置３０のデータ処理部３６０により得られる各パラメータの値の一例を示す図である。
【０１１１】
晴雨判定部３６５は、該当する携帯用通信端末装置１０から取得して状態情報ＤＢ３４２に記録された各状態情報に基づいて生成されたパラメータＡ、Ｂ、Ｃ及びＤの各値を用いて、所定のユーザが所望する目的地の晴雨（具体的には現在時刻において目的地に雨が降っているか否か）を判定し、判定結果を気象情報生成管理部３６６に供給する。また、本実施形態の晴雨判定部３６５は、具体的には以下の二通りの方法によって晴雨判定を行う。
【０１１２】
（１）判定方法１
判定方法１としては、晴雨判定部３６５は、パラメータ毎に画像解析部３６２、音解析部３６３及び照度解析部３６４において生成された各ユーザのスコアの平均値を算出し、当該平均値の和を総スコアとして算出するとともに、当該総スコアが予め定められた閾値に基づいて晴雨判定を行う。
【０１１３】
具体的には、晴雨判定部３６５は、算出した総スコアγが閾値αより大きい場合（総スコアγ＞閾値αの場合）に、目的地が「雨」であると判定し、当該算出した総スコアγが閾値以下の場合（総スコアγ≦閾値αの場合）に、雨が降っていないと判定する。
【０１１４】
例えば、所定のユーザが所望する目的地周辺に存在するとして特定されたユーザが１０１、１０２、１０３及び１０４の４人であって、図７に示すような各パラメータが算出された場合を想定する。このような場合においては、パラメータＡの値が取れているユーザがユーザ「１０１」のみであるので、晴雨判定部３６５は、パラメータＡのスコアを１／１＝「１．０」と算出する。また、パラメータＢの値が取れているユーザは、ユーザＡとユーザＣの２ユーザであるので、晴雨判定部３６５は、パラメータＢのスコアを０／２＝「０．０」と算出し、パラメータＣ及びパラメータＤのスコアを、各々「１．０」と算出する。そして、晴雨判定部３６５は、平均値の総スコアγを「３．０」と算出し、閾値αの値が「１．７」と設定されていれば、当該目的地の晴雨を「雨」と判定する。
【０１１５】
（２）判定方法２
判定方法２として、晴雨判定部３６５は、経験的に得られた各パラメータの誤検出率に基づいて各パラメータに重み付けを付与しつつ、上記の判定方法１を実行し、晴雨判定を行う。
【０１１６】
例えば、イン画像データについては、日傘をさしていても、雨（パラメータＡが「１」）と判定されてしまうため、誤検出率が大きい。また、アウト画像データについては、雨が止やんだ後であっても、路面が乾燥する前には、雨（パラメータＢが「１」）と判定されるため、これについても誤検出率は大きくなる。さらに、音データについても、周囲の騒音が大きい場合には、誤検出される可能性がある。なお、日照データについては、誤検出率は比較的低いので、本実施形態においては、そのままの値を用いている。
【０１１７】
そこで、本判定方法においては、晴雨判定部３６５は、パラメータ毎に誤検出率を考慮した補正係数βを定め、当該補正係数を用いて上記の判定方法１によって算出された各パラメータのスコアを補正し、補正した各パラメータのスコアの総和が予め定められた閾値より大きいか否かによって目的地の晴雨判定を行う。特に、晴雨判定部３６５は、誤検出率が高いパラメータについては、値が小さい補正係数を用いるとともに、誤検出率が低いパラメータについては、値が小さい補正係数を用いる。
【０１１８】
例えば、パラメータＡ、Ｂ、Ｃ、Ｄのそれぞれについての補正係数をβ１、β２、β３、β４とし、それぞれの値をβ１＝０．４、β２＝０．５、β３＝０．５、β４＝１．０とし、図７に例示する場合を想定する。この場合には、総スコアγは、γ＝パラメータＡのスコア× β１＋パラメータＢのスコア× β２＋パラメータＣのスコア× β３＋パラメータＤのスコア× β４となるので、晴雨判定部３６５は、（式１）のように総スコアγを算出し、閾値αが１．７とした場合には、γ＞αであるので「雨」と判定する。
【０１１９】
γ＝１×０．４＋０×０．５＋１×０．５＋１×１＝１．９    ・・・（式１）
【０１２０】
［４］通信システムの動作
次いで、図８を用いて本実施形態の通信システム１の携帯用通信端末装置１０及び情報提供サーバ装置３０における気象情報生成処理の動作について説明する。なお、図８は、本実施形態の通信システム１において実行される処理を示すフローチャートである。
【０１２１】
本動作に先立って、各ユーザは、ＳＮＳ等の気象情報の提供サービスに利用登録済みであるものとし、各ユーザは、自身の携帯用通信端末装置１０を用いて、当該サービスにログインした状態になっているものとする。そして、ユーザ管理ＤＢ３４１には、ログイン中の各携帯用通信端末装置１０状態情報が既に登録済みの状態になっているものとする。
【０１２２】
また、本動作において、携帯用通信端末装置１０において、アプリケーション実行部１３０は、所定のアプリケーションを実行しているとともに表示制御部１５０と連動して、ユーザに目的地を選択させる画面を表示部１４０に表示させているものとする。
【０１２３】
まず、アプリケーション実行部１３０は、ユーザが画面表示に従って、目的地を指定する旨の指示入力を、操作部１６０を介して検出すると（ステップＳ１００）、目的地位置情報を生成させるとともに、当該目的位置情報を付加した目的地指定情報を生成させる（ステップＳ１０１）。
【０１２４】
次いで、アプリケーション実行部１３０は、ネットワーク通信部１１０を介して、生成した目的地指定情報を含む気象情報の取得要求を情報提供サーバ装置３０に送信させ、受信待機状態に移行させる（ステップＳ１０２）。
【０１２５】
一方、情報提供サーバ装置３０においては、気象情報生成管理部３６６は、携帯用通信端末装置１０から送信された気象情報の取得要求を受信すると（ステップＳ２００）、通信端末特定部３６１に、気象情報取得要求に付加された目的地の位置に基づいて、ユーザ管理ＤＢ３４１に格納された各携帯用通信端末装置の位置情報を検索させる（ステップＳ２０１）。このとき、通信端末特定部３６１は、目的地の現実空間における位置から所定の距離範囲内に存在するユーザのユーザＩＤを特定し、気象情報生成管理部３６６に供給する。
【０１２６】
次いで、気象情報生成管理部３６６は、当該特定されたユーザＩＤを有する携帯用通信端末装置１０と連動し、状態情報を取得して状態情報ＤＢ３４２を更新する（ステップＳ２０３）。
【０１２７】
次いで、気象情報生成管理部３６６は、画像解析部３６２、音解析部３６３及び照度解析部３６４と連携して、パラメータＡ、Ｂ、Ｃ及びＤを生成させるとともに（ステップＳ２０４）、晴雨判定部３６５に総スコアγを算出させる（ステップＳ２０５）。
【０１２８】
次いで、晴雨判定部３６５は、気象情報生成部３６６の制御の下、算出した総スコアγと閾値αを比較して降雨状況を判定するとともに（ステップＳ２０６）、当該判定結果に基づいて、気象情報を生成する（ステップＳ２０７）。
【０１２９】
最後に、気象情報生成管理部３６５は、生成した気象情報を目的地指定情報の送信元の携帯用通信端末装置１０に配信して（ステップＳ２０８）、本動作を終了させる。
【０１３０】
次いで、携帯用通信端末装置１０においては、アプリケーション実行部１３０は、ネットワーク通信部１１０を介してり気象情報を受信すると（ステップＳ１０３）、表示制御部１５０と連動し、当該受信した気象情報に基づき、当該気象情報に対応した画像を表示部１４０に表示させて（ステップＳ１０４）、本動作を終了させる。
【０１３１】
以上のように、本実施形態の通信システム１においては、ユーザによって携帯用通信端末装置１０を介して目的地が設定されると、当該目的地から所定の距離（例えば、５０ｍ）範囲内に存在する、他の携帯用通信端末装置１０を特定し、当該特定した携帯用通信端末装置１０によって収集した周辺環境の状態に基づいて気象情報を生成することができる。
【０１３２】
したがって、本実施形態の通信システム１においては、目的地周辺の気象に関する環境の状況をリアルタイムに収集することができるので、当該目的地の正確な気象情報を生成することができる。
【０１３３】
また、本実施形態の通信システム１においては、ネットワーク２０を介して、目的地を設定した携帯用通信端末装置１０のユーザに対して、生成した気象情報を提供することができるので、リアルタイムで正確な気象情報を提供することができる。
【０１３４】
特に、本実施形態の通信システム１においては、雨による路面が濡れた状態か否か、又は、画像情報の取得元のユーザが傘をさしているか否かなど、降雨時に必須となる環境を画像によって解析すること、周波数解析によってその地点の雨音の有無を解析すること、及び、その地点の照度を計測して明るさを解析するができるので、正確に降雨状況を特定することができるとともに、降雨判定の精度を高めつつ、気象情報を生成することが可能となる。
【０１３５】
また、本実施形態の通信システム１においては、画像、音、日照の何れかが信用に値しないような場合に、当該情報に対する重み付けを低くして、信用性の高い情報に基づいて気象情報を生成することができる。
【０１３６】
［５］変形例
［５．１］変形例１
上記実施形態においては、晴雨判定部３６５は、パラメータＡ、Ｂ、Ｃ及びＤの全てに基づいて総スコアγを算出して、当該総スコアγの値が閾値αを超えるか否かに応じて晴雨判定を行うようにしているが、パラメータＡ、Ｂ、Ｃ及びＤの少なくともいずれか一つを用いて総スコアγを算出するようにしてもよい。
【０１３７】
なお、総スコアγの算出に用いるパラメータが一つであって、そのパラメータの検出誤差を非常に小さくできる場合には、晴雨判定部３６５は、総スコアγを算出せず、当該パラメータが「１」なのか、「０」なのかに基づいて、晴雨判定を行うようにしてもよい。
【０１３８】
［５．２］変形例２
また、上記必実施形態においては、情報提供サーバ装置３０内にユーザ管理ＤＢ３４１及び状態情報ＤＢ３４２を設け、これらの各ＤＢを情報提供サーバ装置３０のみにおいて管理及び制御する構成としているが、各ＤＢの管理、制御主体は、各々、別個なコンピュータシステムを用いるようにしてもよい。
【０１３９】
特に、ＳＮＳ等の気象情報の提供サービスに関しては別個のサーバ装置を用いて行うようにしてもよい。この場合、各携帯用端末装置１０の現在位置を示す位置情報は、当該サーバ装置のＤＢに格納し、必要に応じて、情報提供サーバ装置３０に供給する。
【０１４０】
［５．３］変形例３
また、上記実施形態においては、情報提供サーバ装置３０によって画像データ、音データ及び照度データに基づいて、晴雨状況を示す情報を含む気象情報を生成及び配信する構成を有しているが、携帯用通信端末装置１０に気温センサ及び湿度センサを設けて温度及び湿度を状態情報に含め、晴雨判定が実行されてもよい。すなわち、この場合には、情報提供サーバ装置３０は、晴雨判定とともに、温度及び湿度に応じて気象情報を該当する携帯用通信端末装置１０に提供する。
【０１４１】
例えば、この場合には、各状態情報の温度及び湿度の平均値を算出し、その値を文字列として気象情報として該当する携帯用通信端末装置１０に配信してもよいし、当該温度及び湿度が所定の閾値を超えるか否かによって、例えば、服装の提案を含む気象情報を生成するようにしてもよい。
【０１４２】
［５．４］変形例４
また、上記実施形態においては、目的地近辺に存在するユーザの携帯用通信端末装置１０のみから状態情報を取得して、気象情報を生成する構成としたが、当該状態情報とアメダスから取得される情報の双方に基づいて気象情報を生成するようにしてもよい。
【０１４３】
［５．５］変形例５
また、上記実施形態においては、情報提供サーバ装置３０は、気象情報の取得要求をした携帯用通信端末装置１０に生成した気象情報を配信しているが、目的地の気象情報を生成し、生成した気象情報を、配信せずに、当該取得要求をしたユーザの操作によって所定のＷｅｂ再度で閲覧可能に記録してもよい。
【符号の説明】
【０１４４】
１  …  通信システム
１０  …  携帯用通信端末装置
３０  …  情報提供サーバ装置
１００  …  記録部
１１０  …  ネットワーク通信部
１２０  …  現在位置検出部
１３０  …  アプリケーション実行部
１４０  …  表示部
１５０  …  表示制御部
１６０  …  操作部
１７０  …  端末管理制御部
１８１  …  撮像部
１８２  …  音データ生成部
１８３  …  日照測定部
３１０  …  通信制御部
３２０  …  ＲＯＭ／ＲＡＭ
３３０  …  タイマ
３４０  …  記録装置
３４１  …  ユーザ管理ＤＢ
３４２  …  状態情報ＤＢ
３５０  …  サーバ管理制御部
３６０  …  データ処理部
３６１  …  通信端末特定部
３６２  …  画像解析部
３６３  …  音解析部
３６４  …  照度解析部
３６５  …  晴雨判定部
３６６  …  気象情報生成管理部
【図１】
2014038051.tif 000003
【図２】
2014038051.tif 000004
【図３】
2014038051.tif 000005
【図４】
2014038051.tif 000006
【図５】
2014038051.tif 000007
【図６】
2014038051.tif 000008
【図７】
2014038051.tif 000009
【図８】
2014038051.tif 000010